(57)【要約】【課題】表示画面の一部を拡大する際に、拡大対象とする領域を正確に把握する。【解決手段】画像を表示可能な表示部と、表示部の所定の表示領域に表示する第１画面のデータを生成する第１画面生成部と、第１画面内で設定される第１領域における背景色の特性と第１画面内の第１領域以外の第２領域における背景色の特性とが異なる第２画面のデータを生成する第２画面生成部と、表示領域内で少なくとも第１領域を拡大した第３画面のデータを生成する第３画面生成部と、第１領域の設定入力および前記第３画面の生成指示入力を受け付ける入力部と、第１乃至第３画面生成部がそれぞれ生成した第１乃至第３画面を表示部にそれぞれ表示させる表示制御部と、を備える。【選択図】図２
2015210640.tif 000002
【特許請求の範囲】
【請求項１】
画像を表示可能な表示部と、
前記表示部の所定の表示領域に表示する第１画面のデータを生成する第１画面生成部と、
前記第１画面内で設定される第１領域における背景色の特性と前記第１画面内の前記第１領域以外の第２領域における背景色の特性とが異なる第２画面のデータを生成する第２画面生成部と、
前記表示領域内で少なくとも前記第１領域を拡大した第３画面のデータを生成する第３画面生成部と、
前記第１領域の設定入力および前記第３画面の生成指示入力を受け付ける入力部と、
前記第１乃至第３画面生成部がそれぞれ生成した前記第１乃至第３画面を前記表示部にそれぞれ表示させる表示制御部と、
を備えたことを特徴とする表示装置。
【請求項２】
前記第３画面生成部は、
前記第１領域が前記表示領域の全域を占めるように拡大することを特徴とする請求項１に記載の表示装置。
【請求項３】
前記第３画面生成部は、
前記第１領域の形状を保持したまま拡大することを特徴とする請求項１に記載の表示装置。
【請求項４】
前記第３画面生成部は、
前記第１領域および該第１領域の周辺の前記第２領域を、前記第１および第２領域における背景色の特性が異なる状態のまま拡大することによって前記第３画面のデータを生成し、
前記表示制御部は、
前記第１領域を含む前記第３画面の一部を前記表示部に表示させることを特徴とする請求項１に記載の表示装置。
【請求項５】
前記入力部は、
前記第３画面の表示範囲を変更する指示入力を受け付け可能であることを特徴とする請求項４に記載の表示装置。
【請求項６】
前記入力部は、
前記第１領域の位置、形状または大きさを変更する指示入力を受け付け可能であり、
前記第２画面生成部は、
前記入力部が受け付けた指示入力に基づいて前記第２画面における前記第１領域の位置、形状または大きさを変更することを特徴とする請求項１に記載の表示装置。
【請求項７】
１以上の前記第１領域の設定情報を記憶する記憶部と、
前記入力部が受け付けた選択信号に基づいて前記記憶部から１つの前記第１領域を選択する第１領域選択部と、
をさらに備え、
前記第２画面生成部は、
前記第１領域選択部が選択した前記第１領域に対応する前記第２画面のデータを生成し、
前記表示制御部は、
前記第２画面生成部が生成した前記第２画面を前記表示部に表示させることを特徴とする請求項１に記載の表示装置。
【請求項８】
前記第２画面生成部は、
前記表示部が前記第１領域選択部の選択に応じた前記第２画面を表示している最中に前記第１領域選択部が別の前記第１領域を選択した場合、該選択された前記第１領域に対応する前記第２画面のデータを生成し、
前記表示制御部は、
前記第２画面生成部が新たに生成した前記第２画面を前記表示部に表示させることを特徴とする請求項７に記載の表示装置。
【請求項９】
前記第１領域選択部は、
前記第１領域を選択する際、同一画面上で表示可能な他の前記第１領域を合わせて選択し、
前記第２画面生成部は、
前記第１領域選択部が選択した前記第１領域をすべて含む前記第２画面のデータを生成することを特徴とする請求項７に記載の表示装置。
【請求項１０】
前記背景色の特性は、色の透過性であることを特徴とする請求項１に記載の表示装置。
【請求項１１】
前記第１画面は、
折れ線グラフを表示することを特徴とする請求項１に記載の表示装置。
【請求項１２】
プラントに設置された複数の機器に接続された制御装置と通信可能に接続されてなり、
前記表示部は、
前記制御装置から前記複数の機器の状態をそれぞれ示す複数の状態情報を取得して表示することを特徴とする請求項１に記載の表示装置。
【請求項１３】
前記第１画面は、
前記複数の状態情報の少なくともいずれか一つのトレンドを示す折れ線グラフを表示することを特徴とする請求項１２に記載の表示装置。
【請求項１４】
プラントに設置された複数の機器に接続された制御装置と、
前記制御装置と通信可能に接続され、前記制御装置から前記複数の機器の状態をそれぞれ示す複数の状態情報を取得して前記表示部で表示する請求項１に記載の表示装置と、
を備えたことを特徴とする監視システム。
【請求項１５】
画像を表示可能な表示部を備えた表示装置が行う表示方法であって、
前記表示部の所定の表示領域に第１画面を表示する第１画面表示ステップと、
前記第１画面内に含まれる第１領域の設定入力を受け付ける第１領域設定ステップと、
前記第１領域における背景色の特性と前記第１領域以外の第２領域における背景色の特性とが異なる第２画面を表示する第２画面表示ステップと、
前記表示領域内で少なくとも前記第１領域を拡大した第３画面を表示する第３画面表示ステップと、
を含むことを特徴とする表示方法。
【請求項１６】
画像を表示可能な表示部を備えた表示装置に、
前記表示部の所定の表示領域に第１画面を表示する第１画面表示ステップと、
前記第１画面内に含まれる第１領域の設定入力を受け付ける第１領域設定ステップと、
前記第１領域における背景色の特性と前記第１領域以外の第２領域における背景色の特性とが異なる第２画面を表示する第２画面表示ステップと、
前記表示領域内で少なくとも前記第１領域を拡大した第３画面を表示する第３画面表示ステップと、
を実行させることを特徴とする表示プログラム。
【発明の詳細な説明】
【技術分野】
【０００１】
本発明は、プラントを監視する監視システムにおいて制御装置から取得した情報を表示する表示装置、該表示装置を備えた監視システム、該表示装置が実行する表示方法および表示プログラムに関する。
【背景技術】
【０００２】
従来、鉄鋼プラント、化学プラント、発電プラント等の各種プラントを対象とするプロセスの制御や監視を行うための監視システムとして、プロセスの制御を行う制御装置と、ヒューマンマシンインターフェースとしてのオペレータステーションとを備えた分散型制御システムが知られている。
【０００３】
オペレータステーションは、制御装置から送られてくるプラントの状態情報に基づいた画像コンテンツの表示を行う機能を有している（例えば、非特許文献１を参照）。このような画像コンテンツとして、例えばプラントに設けられた機器の状態情報の時間的な履歴を示すトレンド画面がある。トレンド画面では、より詳細な情報を把握するために選択した領域を拡大して表示することができる。
【先行技術文献】
【非特許文献】
【０００４】
【非特許文献１】富士電機システムズ株式会社  オープン統合化制御システム  ＦＯＣＵＳ  ＦＯＣＵＳ−Ｐ  取扱説明書＜オペレーション編＞  改定７版  ２００６年７月「第３節  グループパネル」P.2
【発明の概要】
【発明が解決しようとする課題】
【０００５】
しかしながら、従来のオペレータステーションでは、トレンド画面等の表示画面の一部を拡大する際に、どの領域を拡大対象としているかが明示されないため、ユーザは自身が選択している領域を正確に把握することができなかった。
【０００６】
本発明は、上記に鑑みてなされたものであって、表示画面の一部を拡大する際に、拡大対象とする領域を正確に把握することができる表示装置、監視システム、表示方法および表示プログラムを提供することを目的とする。
【課題を解決するための手段】
【０００７】
上述した課題を解決し、目的を達成するために、本発明に係る表示装置は、画像を表示可能な表示部と、前記表示部の所定の表示領域に表示する第１画面のデータを生成する第１画面生成部と、前記第１画面内で設定される第１領域における背景色の特性と前記第１画面内の前記第１領域以外の第２領域における背景色の特性とが異なる第２画面のデータを生成する第２画面生成部と、前記表示領域内で少なくとも前記第１領域を拡大した第３画面のデータを生成する第３画面生成部と、前記第１領域の設定入力および前記第３画面の生成指示入力を受け付ける入力部と、前記第１乃至第３画面生成部がそれぞれ生成した前記第１乃至第３画面を前記表示部にそれぞれ表示させる表示制御部と、を備えたことを特徴とする。
【０００８】
本発明に係る表示装置は、上記発明において、前記第３画面生成部は、前記第１領域が前記表示領域の全域を占めるように拡大することを特徴とする。
【０００９】
本発明に係る表示装置は、上記発明において、前記第３画面生成部は、前記第１領域の形状を保持したまま拡大することを特徴とする。
【００１０】
本発明に係る表示装置は、上記発明において、前記第３画面生成部は、前記第１領域および該第１領域の周辺の前記第２領域を、前記第１および第２領域における背景色の特性が異なる状態のまま拡大することによって前記第３画面のデータを生成し、前記表示制御部は、前記第１領域を含む前記第３画面の一部を前記表示部に表示させることを特徴とする。
【００１１】
本発明に係る表示装置は、上記発明において、前記入力部は、前記第３画面の表示範囲を変更する指示入力を受け付け可能であることを特徴とする。
【００１２】
本発明に係る表示装置は、上記発明において、前記入力部は、前記第１領域の位置、形状または大きさを変更する指示入力を受け付け可能であり、前記第２画面生成部は、前記入力部が受け付けた指示入力に基づいて前記第２画面における前記第１領域の位置、形状または大きさを変更することを特徴とする。
【００１３】
本発明に係る表示装置は、上記発明において、１以上の前記第１領域の設定情報を記憶する記憶部と、前記入力部が受け付けた選択信号に基づいて前記記憶部から１つの前記第１領域を選択する第１領域選択部と、をさらに備え、前記第２画面生成部は、前記第１領域選択部が選択した前記第１領域に対応する前記第２画面のデータを生成し、前記表示制御部は、前記第２画面生成部が生成した前記第２画面を前記表示部に表示させることを特徴とする。
【００１４】
本発明に係る表示装置は、上記発明において、前記第２画面生成部は、前記表示部が前記第１領域選択部の選択に応じた前記第２画面を表示している最中に前記第１領域選択部が別の前記第１領域を選択した場合、該選択された前記第１領域に対応する前記第２画面のデータを生成し、前記表示制御部は、前記第２画面生成部が新たに生成した前記第２画面を前記表示部に表示させることを特徴とする。
【００１５】
本発明に係る表示装置は、上記発明において、前記第１領域選択部は、前記第１領域を選択する際、同一画面上で表示可能な他の前記第１領域を合わせて選択し、前記第２画面生成部は、前記第１領域選択部が選択した前記第１領域をすべて含む前記第２画面のデータを生成することを特徴とする。
【００１６】
本発明に係る表示装置は、上記発明において、前記背景色の特性は、色の透過性であることを特徴とする。
【００１７】
本発明に係る表示装置は、上記発明において、前記第１画面は、折れ線グラフを表示することを特徴とする。
【００１８】
本発明に係る表示装置は、上記発明において、プラントに設置された複数の機器に接続された制御装置と通信可能に接続されてなり、前記表示部は、前記制御装置から前記複数の機器の状態をそれぞれ示す複数の状態情報を取得して表示することを特徴とする。
【００１９】
本発明に係る表示装置は、上記発明において、前記第１画面は、前記複数の状態情報の少なくともいずれか一つのトレンドを示す折れ線グラフを表示することを特徴とする。
【００２０】
本発明に係る監視システムは、プラントに設置された複数の機器に接続された制御装置と、前記制御装置と通信可能に接続され、前記制御装置から前記複数の機器の状態をそれぞれ示す複数の状態情報を取得して前記表示部で表示する上記の表示装置と、を備えたことを特徴とする。
【００２１】
本発明に係る表示方法は、画像を表示可能な表示部を備えた表示装置が行う表示方法であって、前記表示部の所定の表示領域に第１画面を表示する第１画面表示ステップと、前記第１画面内に含まれる第１領域の設定入力を受け付ける第１領域設定ステップと、前記第１領域における背景色の特性と前記第１領域以外の第２領域における背景色の特性とが異なる第２画面を表示する第２画面表示ステップと、前記表示領域内で少なくとも前記第１領域を拡大した第３画面を表示する第３画面表示ステップと、を含むことを特徴とする。
【００２２】
本発明に係る表示プログラムは、画像を表示可能な表示部を備えた表示装置に、前記表示部の所定の表示領域に第１画面を表示する第１画面表示ステップと、前記第１画面内に含まれる第１領域の設定入力を受け付ける第１領域設定ステップと、前記第１領域における背景色の特性と前記第１領域以外の第２領域における背景色の特性とが異なる第２画面を表示する第２画面表示ステップと、前記表示領域内で少なくとも前記第１領域を拡大した第３画面を表示する第３画面表示ステップと、を実行させることを特徴とする。
【発明の効果】
【００２３】
本発明によれば、表示画面の一部を拡大する際に、拡大対象とする領域を正確に把握することができる。
【図面の簡単な説明】
【００２４】
【図１】本発明の実施の形態１に係る監視システムの構成を模式的に示す図である。
【図２】本発明の実施の形態１に係る表示装置であるオペレータステーションの構成を示すブロック図である。
【図３】本発明の実施の形態１に係る表示装置であるオペレータステーションの表示部における監視システム用の表示画面の表示例を模式的に示す図である。
【図４】本発明の実施の形態１に係る表示装置であるオペレータステーションが実行する表示方法の処理の概要を示すフローチャートである。
【図５】本発明の実施の形態１に係る表示装置の表示部におけるトレンド画面の表示例を示す図である。
【図６】本発明の実施の形態１に係る表示装置であるオペレータステーションが実行する拡大処理の概要を示すフローチャートである。
【図７】本発明の実施の形態１に係る表示装置の表示部における背景色特性変更画面の表示例を示す図である。
【図８】本発明の実施の形態１に係る表示装置の表示部における関心領域表示画面の表示例を示す図である。
【図９】本発明の実施の形態１に係る表示装置の表示部における拡大トレンド画面の表示例（第１例）を示す図である。
【図１０】本発明の実施の形態１に係る表示装置の表示部における拡大トレンド画面の表示例（第２例）を示す図である。
【図１１】本発明の実施の形態１の変形例１に係る表示装置の表示部における拡大トレンド画面の表示例を示す図である。
【図１２】本発明の実施の形態１の変形例２に係る表示装置の表示部における拡大トレンド画面が有するトレンド表示領域の表示例を示す図である。
【図１３】本発明の実施の形態２に係る表示装置であるオペレータステーションが実行する拡大処理の概要を示すフローチャートである。
【図１４】本発明の実施の形態２に係る表示装置であるオペレータステーションが実行する関心領域の移動処理を模式的に示す図である。
【図１５】本発明の実施の形態２に係る表示装置であるオペレータステーションが実行する関心領域の拡大・変形処理を模式的に示す図である。
【図１６】本発明の実施の形態３に係る表示装置であるオペレータステーションの構成を示すブロック図である。
【図１７】本発明の実施の形態３に係る表示装置であるオペレータステーションが実行する表示方法の処理の概要を示すフローチャートである。
【図１８】図登録済みの関心領域を選択する際に表示部が表示する選択画面の表示例を示す図である。
【図１９】関心領域表示画面の表示例を示す図である。
【図２０】図１９に示す関心領域表示画面において、戻るボタンが選択された場合に表示される関心領域画面の表示例を示す図である。
【図２１】本発明の実施の形態３に係る表示装置であるオペレータステーションが実行する拡大処理の概要を示すフローチャートである。
【図２２】本発明の実施の形態３に係る表示装置であるオペレータステーションの表示部における関心領域表示画面の別の表示例を示す図である。
【発明を実施するための形態】
【００２５】
以下、添付図面を参照して、本発明を実施するための形態（以下、「実施の形態」という）を説明する。
【００２６】
（実施の形態１）
図１は、本発明の実施の形態１に係る監視システムの構成を模式的に示す図である。同図に示す監視システム１は、鉄鋼プラント、化学プラントまたは発電プラント等のプラントＰで行われるプロセスの制御や監視を行う分散型制御システム（ＤＣＳ：Distributed  Control  System）である。監視システム１は、複数の制御装置２（図１では２つの制御装置２のみを図示）と、オペレータステーション３と、データベースステーション４と、プリンタ５と、を備える。
【００２７】
複数の制御装置２、オペレータステーション３およびデータベースステーション４は、制御ネットワーク６を介して通信可能に接続されている。オペレータステーション３、データベースステーション４およびプリンタ５は、情報ネットワーク７を介して通信可能に接続されている。制御ネットワーク６および情報ネットワーク７の各々は、例えばＬＡＮ（Local  Area  Network）、ＷＡＮ（Wide  Area  Network）、イントラネット、公衆回線網、専用回線網などを適宜組み合わせた通信ネットワークによって構成される。
【００２８】
制御装置２は、プラントＰのプロセスを実行するためにプラントＰに設置された各種機器（図１では２つの機器Ｐ１、Ｐ２のみを図示）に接続されたセンサ等の計測装置と接続する。制御装置２は、ＣＰＵ（Central  Proccessing  Unit）を備え、計測装置の測定結果等に基づいた演算を行うことによって各種機器を制御する。制御装置２が行う制御方式として、例えばＰＩＤ（Proportional  Integral  Derivative）制御を挙げることができる。
【００２９】
制御装置２は、上述した計測装置の測定結果等に基づいてプロセスの制御を行うための内部計器に関わる情報を有している。このような内部計器として、例えばＰＩＤ制御計器、スイッチ（オン／オフ）計器、力率計器、風向計器等がある。
【００３０】
制御装置２は、内部計器の情報を制御対象である各種機器の状態を示す状態情報として、制御ネットワーク６を介してオペレータステーション３へ定期的に送信する。状態情報には、計測装置の測定結果に加えて、各種設定値、異常を示す情報（アラーム）、内部計器を識別するためのＴＡＧ情報等が含まれる。
【００３１】
制御装置２は、制御ネットワーク６を介してオペレータステーション３から送られてくる指示信号に基づいて、各種設定値の変更等の処理を行う。
【００３２】
図２は、オペレータステーション３の構成を示すブロック図である。同図に示すオペレータステーション３は、ユーザ（プラント管理者等のオペレータ）が、プラントＰの稼動状態を確認するための装置であり、本発明に係る表示装置として機能する。オペレータステーション３は、入力部３１と、第１通信部３２と、第２通信部３３と、表示部３４と、画像処理部３５と、制御部３６と、記憶部３７と、を備える。
【００３３】
入力部３１は、キーボード、およびマウス等のポインティングデバイスを用いて構成され、ユーザによる各種操作指示信号の入力を受け付ける。入力部３１を構成するポインティングデバイスとして、表示部３４の表示画面上に重ねて設けられるタッチパネルを適用することも可能である。
【００３４】
第１通信部３２は、制御部３６の制御の下、制御ネットワーク６を介して複数の制御装置２との間で各種データを送受信する。第１通信部３２が制御装置２から受信した情報は、記憶部３７に格納されて記憶される。
第２通信部３３は、制御部３６の制御の下、情報ネットワーク７を介してデータベースステーション４やプリンタ５との間で各種データを送受信する。
【００３５】
表示部３４は、液晶または有機ＥＬ（Electro  Luminescence）等のディスプレイを用いて構成され、制御部３６による制御の下、各種情報を表示する。図３は、表示部３４における監視システム用の表示画面の表示例を模式的に示す図である。同図に示す表示画面１００は、ユーザがプラントの状況や作業の目的に応じて選択するための各種メニューを表示するメニュー表示領域１００ａと、制御対象である機器の状態情報を表示する状態情報表示領域１００ｂとを有する。状態情報表示領域１００ｂには、プラントＰに関する各種情報を表示するグラフィック画面、プラントＰの機器Ｐ１、Ｐ２等から得られる状態情報をトレンド表示するトレンド画面、および機器Ｐ１、Ｐ２等から得られた状態情報を帳票形式で表示する帳票画面、プラントＰに異常が発生した場合に出力されるアラーム情報を表示するアラーム画面等が表示される。
【００３６】
画像処理部３５は、トレンド画面（第１画面）データを生成するトレンド画面生成部（第１画面生成部）３５１と、トレンド画面で設定される関心領域（第１領域）を表示する関心領域表示画面（第２画面）データを生成する関心領域表示画面生成部（第２画面生成部）３５２と、関心領域を拡大した拡大トレンド画面（第３画面）データを生成する拡大トレンド画面生成部（第３画面生成部）３５３と、を有する。画像処理部３５は、ＣＰＵや各種演算回路等を用いて実現される。
【００３７】
トレンド画面生成部３５１は、制御装置２から第１通信部３２を介して受信した情報および記憶部３７が記憶する情報を参照することにより、選択された内部計器に対応する機器の状態情報を表示するトレンド画面データを生成する。
関心領域表示画面生成部３５２は、トレンド画面の中で関心領域として設定された領域をそれ以外の非関心領域（第２領域）と識別可能に表示する関心領域表示画面データを生成する。
拡大トレンド画面生成部３５３は、設定された関心領域をトレンド画面表示領域の全域に拡大することによって拡大トレンド画面データを生成する。
【００３８】
制御部３６は、入力部３１が受け付けた関心領域の設定信号に基づいて、トレンド画面における関心領域を設定する関心領域設定部３６１と、表示部３４の表示処理を制御する表示制御部３６２と、制御装置２が行うプロセス制御の制御パラメータを入力部３１の入力に応じて変更する制御パラメータ変更部３６３とを有する。
【００３９】
制御部３６は、ＣＰＵや各種演算回路等を用いて構成され、入力部３１が入力を受け付けた各種操作指示信号に応じてオペレータステーション３を構成する各部に対応する指示やデータの転送等を行うことにより、オペレータステーション３の動作を統括して制御する。なお、画像処理部３５と制御部３６を、共通のＣＰＵを用いて構成することも可能である。
【００４０】
記憶部３７は、状態情報記憶部３７１と、トレンド画面情報記憶部３７２と、関心領域情報記憶部３７３と、プログラム記憶部３７４と、を有する。
【００４１】
状態情報記憶部３７１は、第１通信部３２が制御装置２から定期的に受信する複数の状態情報を記憶する。状態情報記憶部３７１は、制御部３６の制御の下、複数の状態情報を受信するごとに記憶する情報を更新するとともに、それ以前の情報を、第２通信部３３を介してデータベースステーション４へ送信するようにしてもよい。
【００４２】
関心領域情報記憶部３７３は、拡大トレンド画面生成部３５３が拡大トレンド画面データを生成する際に必要な情報を記憶する。このような情報として、関心領域設定部３６１が設定した関心領域の位置および大きさ（縦と横の長さ）に関する情報等がある。なお、本実施の形態１において、関心領域設定部３６１が設定した関心領域の情報は、その情報に基づく拡大トレンド画面データが拡大トレンド画面生成部３５３によって生成された時点で自動的に削除してもよい。すなわち、関心領域情報記憶部３７３は、関心領域の情報を、拡大トレンド画面生成部３５３が拡大トレンド画面を生成するまでの間、一時的に記憶するようにしてもよい。
【００４３】
プログラム記憶部３７４は、本実施の形態１に係る表示プログラムを含み、オペレータステーション３を動作させるための各種プログラム、および各種プログラムの実行中に使用される各種データ等を記憶する。なお、プログラム記憶部３７４が記憶するプログラムは、コンピュータ読み取り可能な記録媒体に記録することも可能である。また、プログラムの記録部または記録媒体への記録は、コンピュータまたは記録媒体を製品として出荷する際に行ってもよいし、通信ネットワークを介したダウンロードにより行ってもよい。
【００４４】
記憶部３７は、本実施の形態１に係る表示プログラムや所定のＯＳを起動するプログラム等が予めインストールされたＲＯＭ（Read  Only  Memory）、および各処理の演算パラメータやデータ等を記憶するＲＡＭ（Random  Access  Memory）等を用いて実現される。上述した各種プログラムは、通信ネットワークを介してダウンロードすることによって取得することも可能である。ここでいう通信ネットワークは、例えば既存の公衆回線網、ＬＡＮ、ＷＡＮなどによって実現されるものであり、有線、無線を問わない。
【００４５】
以上の構成を有するオペレータステーション３は、１つのコンピュータを用いて実現してもよいし、複数のコンピュータを用いて実現してもよい。後者の場合には、通信ネットワークを介してデータの送受信を行いながら、互いに連携して処理を行うようにすることも可能である。なお、ここでいうコンピュータは、汎用のパーソナルコンピュータやサーバ等によって構成することができる。また、通信ネットワークを介した複数のコンピュータからなるクライアント・サーバシステムによってオペレータステーション３を構築する場合には、入力部３１および表示部３４の機能をクライアント端末に具備させる一方、画像処理部３５、制御部３６および記憶部３７の機能を一または複数のサーバに分散するような構成としてもよい。
【００４６】
データベースステーション４は、制御ネットワーク６を介して制御装置２から送信されてくるデータを蓄積する装置であり、プラントＰに関するアラームの履歴情報や数値のトレンド情報を長期間にわたって保存するための装置である。データベースステーション４は、情報ネットワーク７を介してオペレータステーション３との間でデータの送受信も行う。データベースステーション４は、プラントＰに関するアラームの履歴情報や数値のトレンド情報を長期間にわたって保存するための装置である。
【００４７】
プリンタ５は、情報ネットワーク７を介して送信されてくるオペレータステーション３の指示信号に基づいて、オペレータステーション３およびデータベースステーション４が記憶する各種データを取得して印刷する。
【００４８】
図４は、本実施の形態１に係る表示装置が実行する表示方法の処理の概要を示すフローチャートである。図４では、オペレータステーション３において、所定期間における所定の複数の内部計器に対するトレンド画面の表示が選択された場合の処理（以下、トレンド画面表示処理という）の概要を示している。
【００４９】
まず、トレンド画面生成部３５１は、表示対象として設定された内部計器に対応する機器の状態情報に含まれる測定値（ＰＶ：Process  Variable）等の時間的な変化を表示するトレンド画面データを生成する（ステップＳ１）。トレンド画面生成部３５１は、トレンド画面データの生成に必要な情報を第１通信部３２を介して制御装置２へ要求する。その後、トレンド画面生成部３５１は、制御装置２から取得した情報および状態情報記憶部３７１が記憶している情報をもとにトレンド画面データを生成する。なお、トレンド画面データに必要な情報の一部をデータベースステーション４から取得するようにしてもよい。
【００５０】
続いて、表示制御部３６２は、トレンド画面生成部３５１が生成したトレンド画面データに対応するトレンド画面を表示部３４に表示させる（ステップＳ２）。
【００５１】
図５は、表示部３４におけるトレンド画面の表示例を示す図である。同図に示すトレンド画面１０１は、３つの内部計器Ａ、Ｂ、Ｃのトレンドを表示している。トレンド画面１０１は、タイトル表示領域１１１と、数値情報表示領域１１２と、トレンド表示領域１１３とを有する。タイトル表示領域１１１には、「トレンド画面」というタイトルが表示されている。数値情報表示領域１１２には、例えば各内部計器の最新の測定値（ＰＶ）、データ取得期間、計測周期、縦罫線間隔等の数値情報が表示されている。トレンド表示領域１１３には、内部計器Ａ、Ｂ、Ｃのトレンドをそれぞれ示す折れ線グラフ１１４、１１５、１１６に加え、表示範囲を縦方向および横方向にそれぞれスクロールするための縦スクロールバー１１７および横スクロールバー１１８が表示されている。なお、図５では、３つの内部計器のトレンドを表示している場合を例示しているが、表示対象のトレンドの数はこれに限られるわけではない。
【００５２】
ステップＳ２の後、入力部３１が拡大処理の開始指示信号の入力を受け付けた場合（ステップＳ３：Ｙｅｓ）、オペレータステーション３は、拡大処理を行う（ステップＳ４）。本実施の形態１において、開始指示信号は、ユーザが入力部３１のマウスを操作することによってトレンド画面上の所望の位置にマウスポインタＭを移動した後、マウスボタンをクリックすることによって入力される。以下、図６に示すフローチャートを参照して、拡大処理の概要を説明する。
【００５３】
まず、関心領域表示画面生成部３５２は、ステップＳ３で入力された開始指示信号をトリガとして、トレンド表示領域の背景色の特性を変更することにより、背景色特性変更画面データを生成する（ステップＳ２１）。続いて、表示制御部３６２は、背景色特性変更画面を表示部３４に表示させる（ステップＳ２２）。図７は、表示部３４における背景色特性変更画面の表示例を示す図である。同図に示す背景色特性変更画面１０２は、もとのトレンド画面１０１のトレンド表示領域１１３全体を網掛けした態様で表示している。この網掛けは、背景色の特性として、その透過性を低くして表示していることを模式的に示している。
【００５４】
なお、関心領域表示画面生成部３５２が変更する背景色の特性は透過性に限られるわけではない。例えば、背景色の特性として、光の三属性である色相、彩度、明度のいずれか一つを適用することも可能である。また、透過性および光の三属性のうち複数を組み合わせたものを背景色の特性とすることも可能である。
【００５５】
この後、入力部３１が関心領域の選択入力を受け付けた場合（ステップＳ２３：Ｙｅｓ）、オペレータステーション３はステップＳ２４へ移行する。本実施の形態１において、拡大表示対象領域の選択入力操作は、マウスのドラッグ操作によって実現される。このドラッグ操作は、例えば通常のパーソナルコンピュータが備える表示モニタ上で表示されるウィンドウの面積を拡大する際に行う操作と同様である。マウスがドラッグされると、関心領域はマウスポインタＭの始点と終点を対角線とする矩形領域として定義される。
【００５６】
関心領域設定部３６１は、入力部３１が受け付けた関心領域の選択入力に基づいて、トレンド画面における関心領域の設定を行い、設定した情報を関心領域情報記憶部３７３へ一時的に格納する（ステップＳ２４）。
【００５７】
続いて、関心領域表示画面生成部３５２は、関心領域情報記憶部３７３を参照し、設定された関心領域の背景色の特性を元に戻すことによって関心領域表示画面データを生成する（ステップＳ２５）。
【００５８】
この後、表示制御部３６２は、関心領域表示画面を表示部３４に表示させる（ステップＳ２６）。図８は、関心領域表示画面の表示例を示す図である。同図に示す関心領域表示画面１０３は、トレンド表示領域１１３の中に関心領域１１３ａをトレンド画面１０１と同様の特性を有する背景色で表示する一方、非関心領域１１３ｂは背景色特性変更画面１０２と同様の特性を有する背景色で表示している。図８では、ユーザが関心領域１１３ａの左上の頂点（図７を参照）から右下の頂点までマウスでドラッグ操作を行うことによって関心領域を設定した場合を示している（関心領域１１３ａ内の破線の矢印Ｌを参照）。なお、矢印Ｌは、図７の背景色変更画面１０２から関心領域表示画面１０３に至るまでのマウスポインタＭの軌跡を示す仮想的な線であって実際の画面上に表示されるわけではないが、軌跡を明示するために画面上で表示させるようにしてもよい。
【００５９】
続いて、入力部３１が関心領域の選択確定信号の入力を受け付けた場合（ステップＳ２７：Ｙｅｓ）、拡大トレンド画面生成部３５３は、選択された領域をトレンド表示領域１１３全域に拡大して表示する拡大トレンド画面データを生成する（ステップＳ２８）。本実施の形態１において、選択確定信号は、マウスのドロップ操作によって実現される。したがって、マウスのドロップ操作をした時点のマウスポインタＭの位置が、矩形状をなす関心領域のいずれかの頂点となり、この頂点と開始指示信号入力時（マウスボタン押下時）のマウスポインタＭの位置とを結ぶ直線が、関心領域の対角線となる。具体的に、図８では、関心領域１１３ａの左上の頂点が始点であり、右下の頂点が終点である場合を示している。
【００６０】
拡大トレンド画面生成部３５３は、関心領域をトレンド表示領域１１３の全域に拡大する。本実施の形態１において、拡大トレンド画面生成部３５３は、拡大する際に、拡大対象とする領域のトレンドに関する状態情報を再取得して、拡大するトレンド表示領域１１３のスケール（縦スケール、横スケール）に合わせて再描画する。このため、関心領域の縦横比（アスペクト比）がトレンド表示領域１１３の縦横比と等しくない場合、縦方向と横方向の拡大率は異なる。例えば、図８に示す場合、トレンド表示領域１１３は横長の矩形状をなす一方、関心領域１１３ａは縦長の矩形状をなしている。したがって、図８に示す場合、関心領域１１３ａの横方向の拡大率の方が縦方向の拡大率よりも大きくなる。
【００６１】
拡大トレンド画面生成部３５３は、関心領域１１３ａの周辺の非関心領域１１３ｂについても拡大トレンド画面データを生成する。この際、拡大トレンド画面生成部３５３は、拡大前の関心領域１１３ａおよび非関心領域１１３ｂの背景色の特性を保持したまま、拡大トレンド画面データを生成する。これにより、入力部３１が拡大トレンド画面のスクロール操作の入力を受け付けた場合、表示部３４でスクロール画面をスムーズに表示させることが可能となる（後述するステップＳ８を参照）。
【００６２】
ステップＳ２３において入力部３１が関心領域の選択入力を受け付けない場合（ステップＳ２３：Ｎｏ）、およびステップＳ２７において入力部３１が関心領域の選択確定信号の入力を受け付けない場合（ステップＳ２７：Ｎｏ）、オペレータステーション３はステップＳ２９へ移行する。
【００６３】
ステップＳ２９において、入力部３１が拡大処理を終了する信号の入力を受け付けた場合（ステップＳ２９：Ｙｅｓ）、オペレータステーション３は拡大処理を終了してメインルーチンへ戻る。一方、ステップＳ２９において、入力部３１が拡大処理を終了する信号の入力を受け付けない場合（ステップＳ２９：Ｎｏ）、オペレータステーション３はステップＳ２３へ戻る。
【００６４】
以上説明したステップＳ４の拡大処理に続く処理を説明する。ステップＳ４での拡大処理の後、拡大トレンド画面データが生成されて存在している場合（ステップＳ５：Ｙｅｓ）、表示制御部３６２は、拡大トレンド画面を表示部３４に表示させる（ステップＳ６）。図９は、拡大トレンド画面の表示例を示す図である。同図に示す拡大トレンド画面１０４は、図７の背景色特性変更画面１０２における関心領域１１３ａをトレンド表示領域１１３の全域へ拡大した画面である。この場合の関心領域１１３ａの拡大率は、上述したように、横方向の拡大率が縦方向の拡大率よりも大きい。
【００６５】
この後、入力部３１が、拡大トレンド画面のスクロール操作の入力を受け付けた場合（ステップＳ７：Ｙｅｓ）、表示制御部３６２は、スクロール量に応じて表示する部分を変更して（スクロールして）表示部３４に表示させる（ステップＳ８）。図１０は、スクロール量に応じた拡大トレンド画面の表示例を示す図である。同図に示す拡大トレンド画面１０５は、拡大トレンド画面１０４に対して縦スクロールバー１１７を用いて画面を上向きに移動させる一方、横スクロールバー１１８を用いて画面を下向きにスクロールした場合のスクロール後の表示例を示している。拡大トレンド画面１０５では、関心領域１１３ａと非関心領域１１３ｂの背景色の特性が、関心領域表示画面１０３と同じである。このため、ユーザは、拡大トレンド画面をスクロールした場合、関心領域１１３ａと非関心領域１１３ｂの境界を正確に把握することができる。
【００６６】
続いて、入力部３１が縮小指示の入力を受け付けた場合（ステップＳ９：Ｙｅｓ）、オペレータステーション３はステップＳ１へ戻る。
【００６７】
ステップＳ９において、入力部３１が縮小表示の入力を受け付けない場合（ステップＳ９：Ｎｏ）において、トレンド表示終了の指示信号の入力を受け付けたとき（ステップＳ１０：Ｙｅｓ）、オペレータステーション３はトレンド画面表示処理を終了する。一方、ステップＳ１０において、入力部３１がトレンド表示終了の指示信号の入力を受け付けない場合（ステップＳ１０：Ｎｏ）、オペレータステーション３はステップＳ７へ戻る。
【００６８】
ステップＳ３において、入力部３１が拡大処理の開始指示信号の入力を受け付けない場合（ステップＳ３：Ｎｏ）、およびステップＳ５において、拡大トレンド画面データが生成されていない場合（ステップＳ５：Ｎｏ）、制御部３６は、状態情報記憶部３７１が記憶する状態情報が更新されているか否かを判断する（ステップＳ１１）。判断の結果、状態情報が更新されている場合（ステップＳ１１：Ｙｅｓ）、オペレータステーション３はステップＳ１へ戻る。一方、判断の結果、状態情報が更新されていない場合（ステップＳ１１：Ｎｏ）、オペレータステーション３はステップＳ１２へ移行する。
【００６９】
ステップＳ１２において、入力部３１がトレンド表示終了の指示信号の入力を受け付けた場合（ステップＳ１２：Ｙｅｓ）、オペレータステーション３はトレンド画面表示処理を終了する。一方、入力部３１がトレンド表示終了の指示信号の入力を受け付けない場合（ステップＳ１２：Ｎｏ）、オペレータステーション３はステップＳ１１へ戻る。
【００７０】
ステップＳ７において、拡大トレンド画面のスクロール操作の入力を受け付けない場合（ステップＳ７：Ｎｏ）、オペレータステーション３はステップＳ９へ移行する。
【００７１】
以上説明した本発明の実施の形態１によれば、拡大対象の領域として設定される関心領域をそれ以外の非関心領域とは異なる背景色の特性で表示する関心領域表示画面を生成するため、表示画面の一部を拡大する際に、関心領域を正確に把握することができる。
【００７２】
また、本実施の形態１によれば、非関心領域では背景色の透過性を低下させることで関心領域との特性の違いを生み出しているため、非関心領域のトレンドも把握することができる。
【００７３】
また、本実施の形態１によれば、拡大トレンド画面を生成する際、関心領域周辺の非関心領域も拡大するため、スクロールすることによって関心領域の周辺のトレンドも確認することができる。加えて、非関心領域の背景色の特性は拡大前後で同じであるため、ユーザは拡大後も関心領域と非関心領域を明確に区別することができる。
【００７４】
また、本実施の形態１によれば、ユーザはマウスのドラッグアンドドロップ操作を行うだけで、関心領域の設定および拡大トレンド画面の生成を実行することができるため、簡単な操作で所望の拡大トレンド画面を見ることができる。
【００７５】
ところで、トレンド画面のように折れ線グラフを表示する画面では、例えば関心領域を単なる枠で表示しても、グラフとの見分けがつきにくくなってしまうおそれがある。これに対して、本実施の形態１においては、関心領域と非関心領域で背景色の特性を変更しているため、折れ線グラフを含むような画面内で関心領域を設定する場合であっても、関心領域を明確に認識することが可能となる。
【００７６】
（実施の形態１の変形例）
図１１は、本実施の形態１の変形例１に係る表示部３４における拡大トレンド画面の表示例を示す図である。同図に示す拡大トレンド画面１０６は、図８に示す関心領域１１３ａの縦横の比率を変えずに同じ倍率で拡大して表示したものである。拡大トレンド画面１０６のトレンド表示領域１１３’内の関心領域１１３ａ’では、縦方向が最大である一方、横方向は最大ではない。このため、拡大トレンド画面では、横方向に沿って非関心領域１１３ｂ’が表示されている。なお、拡大トレンド画面１０６は、時系列の最後が、拡大前のトレンド画面１０１と一致するように表示される。
図１２は、本実施の形態１の変形例２に係る表示部３４における拡大トレンド画面の表示例を模式的に示す図である。同図に示す拡大トレンド画面１０７は、トレンド表示領域１１３’’の関心領域１１３ａ’’の表示範囲が、トレンド表示領域１１３’’の全域よりも若干小さくなっており、周縁部に非関心領域１１３ｂ’’が表示されている。このような表示を行うことにより、ユーザは拡大トレンド画面でも、関心領域と非関心領域の境界を正確に把握することができる。
【００７７】
以上説明した本実施の形態１の変形例１および２が、本実施の形態１と同様の効果を奏するものであることはいうまでもない。
【００７８】
（実施の形態２）
本発明の実施の形態２は、関心領域の設定を行う際に、関心領域の位置、大きさ、形状を変更可能であることを特徴とする。本実施の形態２に係る表示装置は、実施の形態１で説明したオペレータステーション３と同様の構成を有しており、監視システム１の一部をなす。以下、監視システム１が有する構成要素と同じ構成要素については、図２と同一の符号を付して説明する。
【００７９】
本実施の形態２に係る表示装置であるオペレータステーション３が実行するトレンド画面表示処理の概要は、図４に示すフローチャートと同様であるが、拡大処理（ステップＳ４）の内容が異なる。以下、図１３に示すフローチャートを参照して、オペレータステーション３が実行する拡大処理の概要を説明する。
【００８０】
まず、関心領域表示画面生成部３５２は、ステップＳ３（図４を参照）で入力された開始指示信号をトリガとして、トレンド表示領域の背景色の特性を変更することにより、背景色特性変更画面データを生成する（ステップＳ３１）。続いて、表示制御部３６２は、背景色特性変更画面を表示部３４に表示させる（ステップＳ３２）。
【００８１】
この後、入力部３１が関心領域の選択入力を受け付けた場合（ステップＳ３３：Ｙｅｓ）、関心領域設定部３６１は関心領域を設定し、設定した情報を関心領域情報記憶部３７３へ格納する（ステップＳ３４）。
【００８２】
続いて、関心領域表示画面生成部３５２は、選択された領域の背景色の特性を元に戻すことによって関心領域表示画面データを生成する（ステップＳ３５）。本実施の形態２において、関心領域の選択入力操作は、ユーザによるマウスのドラッグアンドドロップ操作によって実現される。具体的には、関心領域は、マウスのドラッグ時のマウスポインタの位置とドロップ時のマウスポイントの位置を結ぶ直線を対角線とする矩形領域として定義される。関心領域表示画面生成部３５２は、マウスポインタＭの位置を追跡することにより、関心領域に対応する矩形領域の背景色の特性を元に戻す処理を行う。選択入力後のトレンド画面は、図８に示す関心領域表示画面１０３と同様に関心領域と非関心領域とが識別可能に表示される。
【００８３】
表示制御部３６２は、関心領域表示画面生成部３５２が生成した関心領域表示画面を表示部３４に表示させる（ステップＳ３６）。
【００８４】
ステップＳ４０の後、入力部３１が関心領域の変更指示信号の入力を受け付けた場合（ステップＳ３７：Ｙｅｓ）、関心領域設定部３６１は、関心領域を変更し、変更後の情報を関心領域情報記憶部３７３へ格納する（ステップＳ３８）。
【００８５】
続いて、関心領域表示画面生成部３５２は、関心領域情報記憶部３７３を参照して関心領域表示画面データを更新する（ステップＳ３９）。表示制御部３６２は、更新された関心領域表示画面データに対応する関心領域表示画面を表示部３４に表示させる（ステップＳ４０）。
【００８６】
図１４は、関心領域の変更処理の一例として、関心領域の移動処理を模式的に示す図である。同図に示すトレンド表示領域２１３は、互いに背景色の特性が異なる関心領域２１３ａおよび非関心領域２１３ｂを有する。破線で示す領域２１３ａ０は、変更前の関心領域の位置および大きさを仮想的に示している。なお、図１４では折れ線グラフ等の記載を省略している。図１４では、ユーザが関心領域２１３ａ０の外縁付近にマウスポインタを合わせてから右下方向へマウスをドラッグアンドドロップすることにより、関心領域を移動させた後の表示状態を示している。この移動操作は、パーソナルコンピュータのモニタ上でのウィンドウの移動操作と同様である。
【００８７】
図１５は、関心領域の変更処理の別な例として、関心領域の拡大・変形処理を模式的に示す図である。同図に示すトレンド表示領域２２３は、互いに背景色の特性が異なる関心領域２２３ａおよび非関心領域２２３ｂを有する。破線で示す領域２２３ａ０は、変更前の関心領域の位置および大きさを仮想的に示している。図１５においても、折れ線グラフ等の記載を省略している。図１５では、ユーザが関心領域２２３ａ０の境界の右下頂点部にマウスポインタを合わせてからドラッグアンドドロップすることにより、関心領域の形状を変えながら拡大した後の表示状態を示している。この拡大・変形操作は、パーソナルコンピュータのモニタ上でウィンドウを拡大・変形する操作と同様である。なお、図１５では拡大・変形した場合を例示したが、同様の操作によって関心領域を縮小・変形することも可能であるし、関心領域の形状は変えずに拡大または縮小することも可能である。
【００８８】
この後、入力部３１が選択確定信号の入力を受け付けた場合（ステップＳ４１：Ｙｅｓ）、拡大トレンド画面生成部３５３は、選択された領域をトレンド表示領域１１３全域を占めるように拡大した拡大トレンド画面データを生成する（ステップＳ４２）。本実施の形態２において、選択確定信号は、マウスポインタＭを関心領域内に位置させた状態でマウスのクリック操作によって実現される。なお、選択確定信号の入力は、これに限られるわけではない。例えば、入力部３１は、マウスポインタを関心領域内に位置させた状態でマウスをダブルクリックさせた場合に選択確定信号として入力を受け付けるようにしてもよい。また、確定信号入力用のアイコンをトレンド表示画面に表示させておき、このアイコンがマウスまたはタッチパネル等によって選択された場合に選択確定信号の入力を受け付けるようにしてもよい。
【００８９】
ステップＳ３３において入力部３１が関心領域の選択入力を受け付けない場合（ステップＳ３３：Ｎｏ）、およびステップＳ４１において入力部３１が関心領域の選択確定信号の入力を受け付けない場合（ステップＳ４１：Ｎｏ）、オペレータステーション３はステップＳ４３へ移行する。
【００９０】
ステップＳ４３において、入力部３１が拡大処理を終了する信号の入力を受け付けた場合（ステップＳ４３：Ｙｅｓ）、オペレータステーション３は拡大処理を終了してメインルーチンへ戻る。一方、ステップＳ４３において、入力部３１が拡大処理を終了する信号の入力を受け付けない場合（ステップＳ４３：Ｎｏ）、オペレータステーション３はステップＳ３３へ戻る。
【００９１】
ステップＳ３７において入力部３１が関心領域の変更指示信号の入力を受け付けない場合（ステップＳ３７：Ｎｏ）、オペレータステーション３はステップＳ４１へ移行する。
【００９２】
以上説明した本発明の実施の形態２によれば、拡大対象の領域として設定される関心領域をそれ以外の非関心領域とは異なる背景色の特性で表示する関心領域表示画面を生成するため、表示画面の一部を拡大する際に、関心領域を正確に把握することができる。
【００９３】
また、本実施の形態２によれば、非関心領域では背景色の透過性を低下させる点や、拡大トレンド画面を生成する際、関心領域周辺の非関心領域も拡大する点が実施の形態１と同じであるため、実施の形態１と同様、ユーザは非関心領域のトレンドも把握することができたり、拡大後も関心領域と非関心領域を明確に区別したりすることができる。さらに、トレンドのような折れ線グラフを表示する画面に対して好適である点も、実施の形態１と同様である。
【００９４】
また、本実施の形態２によれば、ユーザはマウスのドラッグアンドドロップ操作を行うだけで関心領域を選択することができることに加え、関心領域の位置、形状または大きさを変更することができるため、関心領域の設定を一段と柔軟に行うことができる。
【００９５】
（実施の形態３）
図１６は、本発明の実施の形態３に係る表示装置であるオペレータステーションの構成を示すブロック図である。同図に示すオペレータステーション８は、制御部８１および記憶部８２の構成を除いて、実施の形態１で説明したオペレータステーション３と同様の構成を有する（図２を参照）。また、オペレータステーション８は、本実施の形態３に係る監視システムの一部をなす。本実施の形態３に係る監視システムは、オペレータステーションを除いて、実施の形態１に係る監視システム１と同様の構成を有する。以下、監視システム１が有する構成要素と同じ構成要素については、図２と同一の符号を付して説明する。
【００９６】
制御部８１は、関心領域設定部３６１と、表示制御部３６２と、制御パラメータ変更部３６３と、ブックマーク登録部８１１と、関心領域選択部（第１領域選択部）８１２とを有する。ブックマーク登録部８１１は、関心領域に対してブックマークに登録されたことを示す情報を付加する機能を有する。関心領域選択部８１２は、ブックマークに登録された関心領域の中から、入力部３１が受け付けた選択信号に基づいて関心領域を選択する。
【００９７】
記憶部８２は、状態情報記憶部３７１と、トレンド画面情報記憶部３７２と、関心領域情報記憶部３７３と、プログラム記憶部３７４と、ブックマーク情報記憶部８２１とを有する。ブックマーク情報記憶部８２１は、関心領域設定部３６１が設定した関心領域のうち、入力部３１が受け付けた登録指示信号に基づいてブックマークに登録された関心領域の情報を記憶する。
【００９８】
以上の構成を有するオペレータステーション８において、入力部３１が関心領域のブックマークの登録指示信号の入力を受け付けると、ブックマーク登録部８１１が該当する関心領域の情報に対してブックマーク登録情報を付加し、ブックマーク情報記憶部８２１へ格納する。ブックマーク登録情報が付加された関心領域情報は、拡大トレンド画面生成部３５３が拡大トレンド画面データを生成した後も、ブックマーク情報記憶部８２１によって記憶される。
【００９９】
図１７は、本実施の形態３に係る表示装置であるオペレータステーション８が実行する表示方法の概要を示すフローチャートである。まず、トレンド画面データの生成処理（ステップ５１）およびトレンド画面の表示処理（ステップＳ５２）は、図４のステップＳ１およびＳ２にそれぞれ対応している。
【０１００】
この後、入力部３１がブックマーク登録済の関心領域の選択入力を受け付けた場合（ステップＳ５３：Ｙｅｓ）、関心領域選択部８１２は選択された関心領域の情報をブックマーク情報記憶部８２１から取得して関心領域表示画面生成部３５２へ出力する（ステップＳ５４）。図１８は、登録済みの関心領域を選択する際に表示部３４が表示する選択画面の表示例を示す図である。同図に示す選択画面３０１は、複数の登録済み関心領域の始点に相当する日時をメニュー表示している。選択画面３０１では、マウスポインタＭが指示しているメニューを識別可能に表示する。図１８では、ブックマーク登録済みの関心領域を示す複数のメニューのうち、メニュー「２．２０１３／５／２０  １８：３０」選択された状態を示している。この日時は、対応する関心領域の始点の情報を示している。ここで、選択メニューの変更は、例えばユーザがマウスホイールまたはキーボードを操作することによって行われる。図１８に示す状態でユーザがマウスをクリックすることにより、入力部３１はメニュー「２．２０１３／５／２０  １８：３０」に対応する関心領域の選択入力を受け付ける。
【０１０１】
ステップＳ５４に続いて、関心領域表示画面生成部３５２は、関心領域選択部８１２から出力された関心領域の情報に基づいて関心領域表示画面データを生成する（ステップＳ５５）。その後、表示制御部３６２は、ステップＳ５４で生成された拡大対象表示画面データに対応する関心領域表示画面を表示部３４に表示させる（ステップＳ５６）。図１９は、関心領域表示画面の表示例を示す図である。同図に示す関心領域表示画面３０２は、トレンド表示領域に表示され、タイトル表示領域３１１と、トレンド表示領域３２１とを有する。タイトル表示領域３１１には、選択された関心領域の始点の日時情報（「２．２０１３／５／２０  １８：３０」）に加え、拡大ボタン３１２、戻るボタン３１３、および進むボタン３１４が表示される。トレンド表示領域３２１は、互いに異なる背景色の特性を有する関心領域３２２と非関心領域３２３とが識別可能に表示されている。関心領域３２２は、トレンド表示領域３２１の中央に位置している。図１９において、トレンドの折れ線グラフ等は省略して記載している。なお、タイトルに関心領域の始点の日時情報を表示する代わりに、ユーザが設定入力したタイトルや内部計器のＴＡＧ情報等を表示するようにしてもよい。
【０１０２】
拡大ボタン３１２は、表示中の関心領域の拡大指示信号の入力を受け付ける機能を有している。拡大ボタン３１２にマウスポインタＭを合わせた状態でマウスがクリックされると、関心領域の拡大トレンド画面が生成される。なお、関心領域の内部にマウスポインタを合わせてクリックまたはダブルクリック等の操作を行うことによって拡大トレンド画面の表示指示を入力する構成としてもよい。
【０１０３】
戻るボタン３１３は、一つ前に登録された関心領域へ表示を移行する指示入力を受け付ける。図２０は、図１９に示す関心領域表示画面３０２において、戻るボタン３１３が選択された場合に表示される関心領域画面の表示例を示す図である。図２０に示す関心領域表示画面３０３は、タイトル表示領域３３１と、トレンド表示領域３４１とを有する。タイトル表示領域３３１には、選択された関心領域の始点の日時情報（「２０１３／２／９  １２：１０」）に加え、拡大ボタン３３２、戻るボタン３３３、および進むボタン３３４が表示されている。トレンド表示領域３４１には、互いに異なる背景色の特性を有する関心領域３４２と非関心領域３４３とが識別可能に表示されている。関心領域３４２は、トレンド表示領域３４１の中央に位置している。図２０においても、トレンドの折れ線グラフ等は省略して記載している。
【０１０４】
進むボタン３１４は、一つ後に登録された関心領域へ表示を移行する指示入力を受け付ける。例えば、図１９に示す関心領域表示画面３０２において、進むボタン３１４が選択されると、図１８の選択画面におけるメニュー「３．２０１４／１／１５  ９：００」に相当する関心領域表示画面が表示部３４で表示されることとなる。
【０１０５】
ステップＳ５６の後、入力部３１が関心領域の拡大指示信号の入力を受け付けた場合（ステップＳ５７：Ｙｅｓ）、オペレータステーション８はステップＳ５８へ移行する。一方、入力部３１が関心領域の拡大指示信号の入力を受け付けない場合（ステップＳ５７：Ｎｏ）、オペレータステーション８はステップＳ６４へ移行する。
【０１０６】
まず、入力部３１が関心領域の拡大指示信号の入力を受け付けた場合（ステップＳ５７：Ｙｅｓ）を説明する。この場合、拡大トレンド画面生成部３５３は、関心領域をトレンド表示領域の全域へ拡大した拡大トレンド画面データを生成する（ステップＳ５８）。このステップＳ５８に続けてオペレータステーション８が行うステップＳ５９〜Ｓ６３の処理は、図４のステップＳ６〜Ｓ１０の処理に順次対応している。
【０１０７】
次に、入力部３１が関心領域の拡大指示信号の入力を受け付けない場合（ステップＳ５７：Ｎｏ）を説明する。この場合において、入力部３１が関心領域の変更指示入力を受け付けたとき（ステップＳ６４：Ｙｅｓ）、オペレータステーション８はステップＳ５４へ戻る。一方、この場合において、入力部３１が関心領域の変更指示入力を受け付けないとき（ステップＳ６４：Ｎｏ）、オペレータステーション８は後述するステップＳ６８に移行する。
【０１０８】
ステップＳ５３において、入力部３１がブックマーク登録済の関心領域の選択入力を受け付けない場合（ステップＳ５３：Ｎｏ）を説明する。この場合において、入力部３１が拡大処理の開始指示信号の入力を受け付けた場合（ステップＳ６５：Ｙｅｓ）、オペレータステーション８は、拡大処理を行う（ステップＳ６６）。本実施の形態３においても、開始指示信号は、ユーザが入力部３１のマウスを操作することによってトレンド画面上の所望の位置にマウスポインタＭを移動した後、マウスボタンをクリックすることによって入力される。なお、ステップＳ６５で入力部３１が拡大処理の開始指示信号の入力を受け付けない場合（ステップＳ６５：Ｎｏ）、オペレータステーション８は、後述するステップＳ６８へ移行する。
【０１０９】
以下、図２１に示すフローチャートを参照して、オペレータステーション８が行う拡大処理（ステップＳ６６）の概要を説明する。まず、ステップＳ７１〜Ｓ７７の処理は、図６に示すステップＳ２１〜Ｓ２７の処理に順次対応している。なお、ステップＳ７３において入力部３１が関心領域の選択入力を受け付けない場合（ステップＳ７３：Ｎｏ）、およびステップＳ７７において入力部３１が関心領域の選択確定信号の入力を受け付けない場合（ステップＳ７７：Ｎｏ）、オペレータステーション８は、後述するステップＳ８１へ移行する。
【０１１０】
ステップＳ７８おいて、入力部３１が、確定した関心領域のブックマーク登録指示信号の入力を受け付けた場合（ステップＳ７８：Ｙｅｓ）、ブックマーク登録部８１１は、該当する関心領域の情報に対してブックマーク登録情報を付加し、ブックマーク情報記憶部８２１へ格納する（ステップＳ７９）。
【０１１１】
続いて、拡大トレンド画面生成部３５３は、確定した関心領域の拡大トレンド画面データを生成する（ステップＳ８０）。この後、オペレータステーション８は、拡大処理を終了してメインルーチンへ戻る。
【０１１２】
ステップＳ７８において、入力部３１が、確定した関心領域のブックマーク登録指示信号の入力を受け付けない場合（ステップＳ７８：Ｎｏ）、オペレータステーション８はステップＳ８０へ移行する。
【０１１３】
ステップＳ８１において、入力部３１が拡大処理を終了する信号の入力を受け付けた場合（ステップＳ８１：Ｙｅｓ）、オペレータステーション８は拡大処理を終了してメインルーチンへ戻る。一方、ステップＳ８１において、入力部３１が拡大処理を終了する信号の入力を受け付けない場合（ステップＳ８１：Ｎｏ）、オペレータステーション８はステップＳ７３へ戻る。
【０１１４】
以上説明したステップＳ６６の拡大処理に続く処理を説明する。ステップＳ６６での拡大処理の後、拡大トレンド画面データが生成されて存在している場合（ステップＳ６７：Ｙｅｓ）、オペレータステーション８はステップＳ５９へ移行する。
【０１１５】
一方、ステップＳ６７において、拡大トレンド画面データが生成されていない場合（ステップＳ６７：Ｎｏ）、制御部３６は、状態情報記憶部３７１が記憶する状態情報が更新されているか否かを判断する（ステップＳ６８）。判断の結果、状態情報が更新されている場合（ステップＳ６８：Ｙｅｓ）、オペレータステーション８はステップＳ５１へ戻る。一方、判断の結果、状態情報が更新されていない場合（ステップＳ６８：Ｎｏ）、オペレータステーション８はステップＳ６９へ移行する。
【０１１６】
ステップＳ６９において、入力部３１がトレンド表示終了の指示信号の入力を受け付けた場合（ステップＳ６９：Ｙｅｓ）、オペレータステーション８はトレンド画面表示処理を終了する。一方、入力部３１がトレンド表示終了の指示信号の入力を受け付けない場合（ステップＳ６９：Ｎｏ）、オペレータステーション８はステップＳ６８へ戻る。
【０１１７】
以上説明した本発明の実施の形態３によれば、拡大対象の領域として設定される関心領域をそれ以外の非関心領域とは異なる背景色の特性で表示する関心領域表示画面を生成するため、表示画面の一部を拡大する際に、関心領域を正確に把握することができる。
【０１１８】
また、本実施の形態３によれば、非関心領域では背景色の透過性を低下させる点や、拡大トレンド画面を生成する際、関心領域周辺の非関心領域も拡大する点が実施の形態１と同じであるため、実施の形態１と同様、ユーザは非関心領域のトレンドも把握することができたり、拡大後も関心領域と非関心領域を明確に区別したりすることができる。さらに、トレンドのような折れ線グラフを表示する画面に対して好適である点も、実施の形態１と同様である。
【０１１９】
また、本実施の形態３によれば、ユーザは所望の関心領域を一時的ではなく記憶することができるため、過去に選択した関心領域を有効に活用して、一段ときめの細かい監視を行うことが可能となる。
【０１２０】
なお、本実施の形態３において、ブックマーク登録済みの関心領域が選択された場合において、その周辺にブックマーク登録済みの他の関心領域が存在しているとき、これらを一括して表示するようにしてもよい。図２２は、この場合の関心領域表示画面の表示例を示す図である。同図に示す関心領域表示画面４０１は、タイトル表示領域４１１と、トレンド表示領域４２１とを有する。タイトル表示領域４１１には、選択された関心領域の始点の日時情報（「２０１４／１／１５  ９：００」）に加え、拡大ボタン４１２、戻るボタン４１３、および進むボタン４１４が表示される。トレンド表示領域４２１には、選択された関心領域４２２に加えて、その周辺でブックマーク登録済みの２つの関心領域４２３、４２４が同時に表示されている。関心領域４２２〜４２４と、非関心領域４２５とは、背景色の特性を変えて表示されている。このような表示方法を採用することにより、ユーザはより効率的に過去に選択してブックマーク登録された関心領域の情報を得ることができる。
【０１２１】
図２２に示す場合において、例えば関心領域４２２と他の関心領域４２３、４２４との間でも背景色の特性をさらに変えることにより、ユーザが選択した関心領域４２２を明示するようにしてもよい。この場合には、ユーザが選択した関心領域をトレンド表示領域の中央に配置させる必要はない。なお、図２２は、関心領域４２２と関心領域４２３、４２４とが重なっていない場合を例示している。これに対し、関心領域が重なっている場合には、他と重なっていない部分にマウスポインタを合わせてクリックすることで、全体を一意の関心領域として設定することができる。また、同様の操作を行うことで、重なった関心領域のうちの１つを拡大表示させるようにしてもよい。一方、重なっている領域をクリックした場合には、重なっている部分のみを新たな関心領域として設定するようにしてもよいし、重なっている関心領域から１つの関心領域を選択して拡大表示するための選択画面を表示してユーザに選択を促すようにしてもよい。
【０１２２】
また、本実施の形態３において、ブックマーク情報記憶部をデータベースステーション４に設けてもよい。この場合には、第２通信部３３を介してデータベースステーション４との間で適宜通信を行うことにより、上述した表示方法を実現することとなる。
【０１２３】
（その他の実施の形態）
ここまで、本発明を実施するための形態を説明してきたが、本発明は上述した実施の形態１〜３のみによって限定されるべきものではない。例えば、図９に示す拡大トレンド画面１０４から図８に示す関心領域表示画面１０３へ戻る場合には、マウスホイールを操作することにより、操作量（回転量）に応じて徐々に画像を縮小していくようにしてもよい。この場合、ユーザは途中でマウスホイールの操作を止めることにより、中間状態のトレンド画面を見ることができる。ここで、関心領域と非関心領域の背景色の特性を保持したままとすれば、ユーザは画像を縮小している途中の段階でも関心領域と非関心領域を明確に識別することができるのでより好ましい。
【０１２４】
また、図９に示す拡大トレンド画面１０４から図８に示す関心領域表示画面１０３へ戻る場合、表示部で「戻る」と表示されたアイコンを選択することによって処理を開始するようにしてもよい。この場合には、拡大トレンド画面１０４から関心領域表示画面１０３へ徐々に縮小していくように表示すれば、上述したマウスホイール操作と同様の視覚的な効果を得ることができる。さらに、表示部で「停止」と表示されたアイコンを選択することによって縮小処理を停止させるような構成とすれば、マウスホイール操作を縮小途中で止めた場合と同様の効果を得ることができる。
【０１２５】
また、トレンド画面以外の各種監視システム用画面を表示する場合にも、上記同様の機能を具備させることが可能である。
【０１２６】
また、本明細書では、プラントに設置された機器の状態情報のトレンドについて説明してきたが、より一般に折れ線グラフを用いてトレンドを表示する場合に適用すれば、上記実施の形態と同様の効果を得ることができる。このようなトレンドとしては、例えば株価、為替、商品先物取引等のトレンドを挙げることができる。
【０１２７】
本明細書で記載したフローチャートにおける処理の順序はあくまでも一例に過ぎず、本発明を実施する際に矛盾のない範囲で変更することが可能である。
【０１２８】
以上の説明からも明らかなように、本発明は、ここでは記載していない様々な実施の形態等を含みうるものである。例えば、先に説明したＤＣＳ以外に、ＳＣＡＤＡ（Supervisory  Control  And  Data  Acquisition）ソフトが組み込まれた表示機能を有するパーソナルコンピュータによる監視システムや、プログラマブルコントローラと表示部とを備えたプログラマブルコントロールシステムによる監視システムに対しても、本発明を適用することができる。
【符号の説明】
【０１２９】
１  監視システム
２  制御装置
３、８  オペレータステーション
４  データベースステーション
５  プリンタ
６  制御ネットワーク
７  情報ネットワーク
３１  入力部
３２  第１通信部
３３  第２通信部
３４  表示部
３５  画像処理部
３６、８１  制御部
３７、８２  記憶部
１００  表示画面
１００ａ  メニュー表示領域
１００ｂ  状態情報表示領域
１０１  トレンド画面
１０２  背景色特性変更画面
１０３、３０２、３０３、４０１  関心領域表示画面
１０４、１０５、１０６、１０７  拡大トレンド画面
１１１、３１１、３３１、４１１  タイトル表示領域
１１２  数値情報表示領域
１１３、１１３’、１１３’’、２１３、２２３、３２１、３４１、４２１  トレンド表示領域
１１３ａ、１１３ａ’、１１３ａ’’、２１３ａ、２１３ａ０、２２３、２２３ａ０、３２２、３４２、４２２、４２３、４２４  関心領域
１１３ｂ、１１３ｂ’、１１３ｂ’’、２１３ｂ、２２３ｂ、３２３、３４３、４２５  非関心領域
１１４、１１５、１１６  折れ線グラフ
１１７  縦スクロールバー
１１８  横スクロールバー
３０１  選択画面
３１２、３３２、４１２  拡大ボタン
３１３、３３３、４１３  戻るボタン
３１４、３３４、４１４  進むボタン
３５１  トレンド画面生成部
３５２  関心領域表示画面生成部
３５３  拡大トレンド画面生成部
３６１  関心領域設定部
３６２  表示制御部
３６３  制御パラメータ変更部
３７１  状態情報記憶部
３７２  トレンド画面情報記憶部
３７３  関心領域情報記憶部
３７４  プログラム記憶部
８１１  ブックマーク登録部
８１２  関心領域選択部
８２１  ブックマーク情報記憶部
Ｍ  マウスポインタ
Ｐ  プラント
Ｐ１、Ｐ２  機器
【図１】
2015210640.tif 000003
【図２】
2015210640.tif 000004
【図３】
2015210640.tif 000005
【図４】
2015210640.tif 000006
【図５】
2015210640.tif 000007
【図６】
2015210640.tif 000008
【図７】
2015210640.tif 000009
【図８】
2015210640.tif 000010
【図９】
2015210640.tif 000011
【図１０】
2015210640.tif 000012
【図１１】
2015210640.tif 000013
【図１２】
2015210640.tif 000014
【図１３】
2015210640.tif 000015
【図１４】
2015210640.tif 000016
【図１５】
2015210640.tif 000017
【図１６】
2015210640.tif 000018
【図１７】
2015210640.tif 000019
【図１８】
2015210640.tif 000020
【図１９】
2015210640.tif 000021
【図２０】
2015210640.tif 000022
【図２１】
2015210640.tif 000023
【図２２】
2015210640.tif 000024